(57)【要約】【課題】誰でも簡単に素早く被計測者の体型寸法を計測し取得できる画期的で実用性に秀れた計測着を提供する。【解決手段】被計測者１が着衣する計測用着衣体２に、被計測者１の体型に応じた衣類を製作するために必要なこの被計測者１の体型寸法を取得する目盛り部３を設け、この目盛り部３は、被計測者１が計測用着衣体２を着衣した状態でこの計測用着衣体２の計測基準部４からの距離を計測し得る複数の目盛り３ａを前記計測用着衣体２に表示した構成とし、この目盛り３ａを読むことで前記被計測者１の体型によって夫々異なる前記計測基準部４から所定の計測位置までの距離が計測でき前記被計測者１の体型寸法の少なくとも一種類を取得できるように前記目盛り部３の目盛り３ａの表示位置を設定した計測着。【選択図】図５
2007217813.tif 000002
【特許請求の範囲】
【請求項１】
被計測者が着衣する計測用着衣体に、被計測者の体型に応じた衣類を製作するために必要なこの被計測者の体型寸法を取得する目盛り部を設け、この目盛り部は、被計測者が計測用着衣体を着衣した状態でこの計測用着衣体の計測基準部からの距離を計測し得る複数の目盛りを前記計測用着衣体に表示した構成とし、この目盛りを読むことで前記被計測者の体型によって夫々異なる前記計測基準部から所定の計測位置までの距離が計測でき前記被計測者の体型寸法の少なくとも一種類を取得できるように前記目盛り部の目盛りの表示位置を設定したことを特徴とする計測着。
【請求項２】
前記計測用着衣体は、前記被計測者の肩に掛かる部位を有する上衣体として構成したことを特徴とする請求項１記載の計測着。
【請求項３】
前記上衣体として構成した前記計測用着衣体は、前記被計測者の肩に掛かる部位をこの計測用着衣体の前記計測基準部に設定したことを特徴とする請求項２記載の計測着。
【請求項４】
前記計測用着衣体の目盛り部は、少なくとも被計測者の着丈を計測する着丈計測目盛り部を有する構成とし、この着丈計測目盛り部は、計測用着衣体の前記被計測者の肩に掛かる部位に設定した前記計測基準部からの距離を計測し得る複数の目盛りを前記計測用着衣体の身頃の下端部に上下方向に並設表示し、前記被計測者の肩からの着丈を取得できるように構成したことを特徴とする請求項３記載の計測着。
【請求項５】
前記計測用着衣体の目盛り部の着丈計測目盛り部は、前記計測基準部からの距離を計測し得る複数の目盛りを前記計測用着衣体の後身頃の下端部に上下方向に並設表示した背面側着丈計測目盛り部と、前記計測基準部からの距離を計測し得る複数の目盛りを前記計測用着衣体の前身頃の下端部に上下方向に並設表示した上前任丈計測目盛り部とから成る構成としたことを特徴とする請求項４記載の計測着。
【請求項６】
前記計測用着衣体は、前記背面側着丈計測目盛り部の複数の目盛りが並設表示された計測用着衣体の後身頃の下端部と、前記上前衽丈計測目盛り部の複数の目盛りが並設表示された計測用着衣体の前身頃の下端部とが、互いに離反自在に切離されている構成としたことを特徴とする請求項５記載の計測着。
【請求項７】
前記計測用着衣体の目盛り部は、少なくとも被計測者が着物若しくは浴衣などの帯を締める上衣体を着衣した際の帯を締める位置を計測するおはしょり計測目盛り部を有する構成とし、このおはしょり計測目盛り部は、計測用着衣体の前記被計測者の肩に掛かる部位に設定した前記計測基準部からの距離を計測し得る複数の目盛りを前記計測用着衣体の胴周り部位に上下方向に並設表示し、前記被計測者の肩からこの被計測者の前記帯を締める位置までの距離を計測できるように構成したことを特徴とする請求項３〜６のいずれか１項に記載の計測着。
【請求項８】
前記おはしょり計測目盛り部は、前記被計測者が前記計測用着衣体を着衣した状態でこの計測用着衣体の前記おはしょり計測目盛り部の目盛りが表示される胴周り部位に帯若しくは帯板などの指標体を帯を締める高さ位置に当てがい、この状態で指標体の位置に対応する前記おはしょり計測目盛り部の目盛りを読むことで、前記被計測者の肩からこの被計測者の帯を締める位置までの距離を計測できるように構成したことを特徴とする請求項７記載の計測着。
【請求項９】
前記被計測者が着衣する計測用着衣体に、被計測者の体型に応じた着物や浴衣などの上衣体を製作するために必要なこの被計測者の体型寸法を取得する目盛り部を設け、この目盛り部は、前記計測用着衣体の前記被計測者の肩に掛かる部位に設定した計測基準部からの距離を計測し得る複数の目盛りを前記計測用着衣体の後身頃の下端部に上下方向に並設表示して前記被計測者の肩からの着丈を取得できるように構成した背面側着丈計測目盛り部と、前記計測基準部からの距離を計測し得る複数の目盛りを前記計測用着衣体の前身頃の下端部に上下方向に並設表示して前記被計測者の肩からの衽丈を取得できるように構成した上前衽丈計測目盛り部と、前記計測基準部からの距離を計測し得る複数の目盛りを前記計測用着衣体の胴周り部位に上下方向に並設表示して前記被計測者の肩からこの被計測者の帯を締める位置までの距離を計測できるように構成したおはしょり計測目盛り部とを有する構成としたことを特徴とする請求項４〜８のいずれか１項に記載の計測着。
【発明の詳細な説明】
【技術分野】
【０００１】
本発明は、計測用着衣体を被計測者が着衣した状態で、この計測用着衣体に表示された目盛り部の所定の目盛りを読むことで、この被計測者の体型に応じた衣類を製作するために必要なこの被計測者の体型寸法の少なくとも一種類を計測できるように構成した計測着に関するものである。
【背景技術】
【０００２】
衣類を製作する場合、先ず被計測者の体型に応じた衣類を製作するために必要なこの被計測者の体型寸法の取得を行うが、これまでは、例えばメジャーを被計測者の身体に当てがい、この被計測者の身体の所定部位から所定部位までの距離を計測することでこの被計測者の所定の体型寸法の取得を行っている。
【０００３】
即ち、被計測者の体型寸法であるこの被計測者の身体の所定部位から所定部位までの距離を計測すべく、この被計測者の身体の少なくとも二箇所にメジャーを当てがって計測を行って、衣類製作に必要な体型寸法を一つずつ取得するという面倒な作業を行っている。
【０００４】
また、被計測者の身体は夫々異なる凹凸形状を有しているが、従来のように、単にメジャーを被計測者の身体に当てがってこの被計測者の身体の所定部位から所定部位までの距離を計測する場合、取得した体型寸法には、計測時にメジャーと接触した被計測者の身体の一部の凹凸形状だけしか加味されない。従って、この従来法により取得した体型寸法を基に製作した衣類が、実際に着衣した際、被計測者の体型に合わない場合がある（例えば、着丈は通常、被計測者の背面側にメジャーを当てがって、この被計測者の首の後襟ぐり若しくは肩（肩山）から裾までの距離を計測することで取得しているが、この従来法では被計測者の身体の前面側の凹凸形状（例えば胸部や腹部の凹凸）が、取得した着丈に全く加味されておらず、従って、この従来法で取得した着丈を基に制作した衣類を被計測者が実際に着衣した際には寸足らずや裾余りとなってしまう場合がある）など、この点も従来法の問題点と言える。
【０００５】
この問題を解決する方法として、例えば着丈を計測する際に、被計測者の背面側だけでなく前面側にもメジャーを当てがって計測を行い、しかもその際に被計測者の身体の凹凸形状に沿うようにメジャーを被計測者の身体に沿い当てて計測を行うという方法もあるが、しかし、この方法は計測に一層手間がかかり面倒なうえに、計測者が被計測者の身体にメジャーを沿い当てるべくこの被計測者の身体に触れながら計測しなければならず、被計測者が抵抗を感じたり被計測者に不快感を与えたりする懸念があり、決して良好な方法とは言えない。
【０００６】
また、製作する衣類の種類に応じて、必要となる体型寸法は夫々異なり、それ故、被計測者の体型に応じた衣類を製作するために必要なこの被計測者の体型寸法を取得するには、衣類の種類に応じてどのような体型寸法が必要で且つその体型寸法を取得するには被計測者の身体のどの部位からどの部位までの距離を計測すればよいのか、という知識が必要で、それだけ熟練を要し、非熟練者の場合は正しい計測手順を一々調べてから計測を行わなければならないなど、この点においても体型寸法の取得は面倒で厄介であった。
【０００７】
ところで、従来から、通常の着物と比べて簡単に着付けが行える、所謂簡着仕立ての着物が提案されている。
【０００８】
これは、着用者の体型に合わせて予めおはしょりが縫い成形されており、着付け時には、単にこの簡着仕立ての着物を纏って腰の位置に設けられている腰紐を結ぶだけで（自分でおはしょりを作る必要なく）簡単に着付けることができるもので、従来の一般的な（簡着仕立てではない）着物のように着付けに大変な手間や熟練を要さず、それだけ気軽に着衣できるものである。
【０００９】
この簡着仕立ての着物は、例えば被計測者（着用者）の所有する一般的な着物に、この被計測者の体型に応じたおはしょりを縫い作ることで製作できるものであるが、このように一般的な着物から簡着仕立ての着物を製作する場合には、先ず被計測者の体型寸法、具体的には、背面側の着丈，前面側の着丈（上前衽丈）及びおはしょり位置（帯を締める位置）の三つの体型寸法が必要となる。
【００１０】
この簡着仕立ての着物の製作に必要な体型寸法の取得は、従来においては、被計測者が長襦祥を着衣し、必要な場合には補正（タオルなどを身体の凹んだ箇所に巻いて身体の凹凸形状を軽減する。）を行ったうえで、簡着仕立てにする着物を実際に被計測者が着付けを行いながら上記の必要な三つの体型寸法を取得していた。
【００１１】
従って、被計測者が着物を纏い、この被計測者の着丈より長い裾の余った部位をこの被計測者の体型に応じて適切な量だけたくし上げ、この被計測者の体型に応じた適切な位置に見栄え良くおはしょりを作るという大変な熟練と面倒な手間を要する着付けの技術を持った計測者で無ければ計測が行えず、誰でも簡単に行うことはできなかった。
【発明の開示】
【発明が解決しようとする課題】
【００１２】
本発明は、被計測者の体型に応じた衣類を製作するために必要なこの被計測者の体型寸法を簡単に取得できる画期的な計測着であって、被計測者が計測用着衣体を着衣した状態でこの計測用着衣体の所定の位置に表示された目盛り部の目盛りを読むことによって前記体型寸法が取得でき、よって、これまでのように一々被計測者の身体の複数箇所にメジャーを当てがって計測する面倒な手間を不要とし、更に必要な体型寸法を計測するための知識や熟練も不要で、単に被計測者に計測用着衣体を着衣させてこの計測用着衣体に表示された目盛り部の所定の目盛りを読むだけで誰でも簡単に必要な体型寸法を正しく計測でき、更にメジャーを当てがわず計測者が被計測者の身体に触れる必要も殆ど無いのでそれだけ計測時に被計測者に不快感を与える懸念も無く、更に実際に被計測者が計測用着衣体を着衣した状態でこの計測用着衣体に表示された目盛り部の目盛りを読むので、被計測者の身体の凹凸形状に則した良好な体型寸法が得られるなど、誰でも簡単に素早くしかも良好な体型寸法が取得できる画期的な計測着を提供することを課題とする。
【００１３】
また、例えば、前記計測用着衣体に、簡着仕立ての着物の製作に必要な被計測者の背面側の着丈，前面側の着丈（上前衽丈）及びおはしょり位置が取得できる目盛り部を設けた構成とすれば、例えば従来例のように一々簡着仕立てにする着物を被計測者に実際に着付けて計測を行う必要がなく、本発明さえあれば誰でも簡単に、勿論着付けを行う技術がなくとも簡易に素早く上記の簡着仕立ての着物の製作に必要な体型寸法の取得が行えるから、例えば被計測者の所有物や市販品などの着物や、反物などから簡着仕立ての着物を製作する場合に極めて適した画期的で極めて実用性に秀れた計測着を提供することを課題とする。
【課題を解決するための手段】
【００１４】
添付図面を参照して本発明の要旨を説明する。
【００１５】
被計測者１が着衣する計測用着衣体２に、被計測者１の体型に応じた衣類を製作するために必要なこの被計測者１の体型寸法を取得する目盛り部３を設け、この目盛り部３は、被計測者１が計測用着衣体２を着衣した状態でこの計測用着衣体２の計測基準部４からの距離を計測し得る複数の目盛り３ａを前記計測用着衣体２に表示した構成とし、この目盛り３ａを読むことで前記被計測者１の体型によって夫々異なる前記計測基準部４から所定の計測位置までの距離が計測でき前記被計測者１の体型寸法の少なくとも一種類を取得できるように前記目盛り部３の目盛り３ａの表示位置を設定したことを特徴とする計測着に係るものである。
【００１６】
また、前記計測用着衣体２は、前記被計測者１の肩に掛かる部位を有する上衣体として構成したことを特徴とする請求項１記載の計測着に係るものである。
【００１７】
また、前記上衣体として構成した前記計測用着衣体２は、前記被計測者１の肩に掛かる部位をこの計測用着衣体２の前記計測基準部４に設定したことを特徴とする請求項２記載の計測着に係るものである。
【００１８】
また、前記計測用着衣体２の目盛り部３は、少なくとも被計測者１の着丈を計測する着丈計測目盛り部５を有する構成とし、この着丈計測目盛り部５は、計測用着衣体２の前記被計測者１の肩に掛かる部位に設定した前記計測基準部４からの距離を計測し得る複数の目盛り３ａを前記計測用着衣体２の身頃９の下端部に上下方向に並設表示し、前記被計測者１の肩からの着丈を取得できるように構成したことを特徴とする請求項３記載の計測着に係るものである。
【００１９】
また、前記計測用着衣体２の目盛り部３の着丈計測目盛り部５は、前記計測基準部４からの距離を計測し得る複数の目盛り３ａを前記計測用着衣体２の後身頃９ａの下端部に上下方向に並設表示した背面側着丈計測目盛り部５Ａと、前記計測基準部４からの距離を計測し得る複数の目盛り３ａを前記計測用着衣体２の前身頃９ｂの下端部に上下方向に並設表示した上前任丈計測目盛り部５Ｂとから成る構成としたことを特徴とする請求項４記載の計測着に係るものである。
【００２０】
また、前記計測用着衣体２は、前記背面側着丈計測目盛り部５Ａの複数の目盛り３ａが並設表示された計測用着衣体２の後身頃９ａの下端部と、前記上前衽丈計測目盛り部５Ｂの複数の目盛り３ａが並設表示された計測用着衣体２の前身頃９ｂの下端部とが、互いに離反自在に切離されている構成としたことを特徴とする請求項５記載の計測着に係るものである。
【００２１】
また、前記計測用着衣体２の目盛り部３は、少なくとも被計測者１が着物若しくは浴衣などの帯を締める上衣体を着衣した際の帯を締める位置を計測するおはしょり計測目盛り部６を有する構成とし、このおはしょり計測目盛り部６は、計測用着衣体２の前記被計測者１の肩に掛かる部位に設定した前記計測基準部４からの距離を計測し得る複数の目盛り３ａを前記計測用着衣体２の胴周り部位に上下方向に並設表示し、前記被計測者１の肩からこの被計測者１の前記帯を締める位置までの距離を計測できるように構成したことを特徴とする請求項３〜６のいずれか１項に記載の計測着に係るものである。
【００２２】
また、前記おはしょり計測目盛り部６は、前記被計測者１が前記計測用着衣体２を着衣した状態でこの計測用着衣体２の前記おはしょり計測目盛り部６の目盛り３ａが表示される胴周り部位に帯若しくは帯板などの指標体８を帯を締める高さ位置に当てがい、この状態で指標体８の位置に対応する前記おはしょり計測目盛り部６の目盛り３ａを読むことで、前記被計測者１の肩からこの被計測者１の帯を締める位置までの距離を計測できるように構成したことを特徴とする請求項７記載の計測着に係るものである。
【００２３】
また、前記被計測者１が着衣する計測用着衣体２に、被計測者１の体型に応じた着物や浴衣などの上衣体を製作するために必要なこの被計測者１の体型寸法を取得する目盛り部３を設け、この目盛り部３は、前記計測用着衣体２の前記被計測者１の肩に掛かる部位に設定した計測基準部４からの距離を計測し得る複数の目盛り３ａを前記計測用着衣体２の後身頃９ａの下端部に上下方向に並設表示して前記被計測者１の肩からの着丈を取得できるように構成した背面側着丈計測目盛り部５Ａと、前記計測基準部４からの距離を計測し得る複数の目盛り３ａを前記計測用着衣体２の前身頃９ｂの下端部に上下方向に並設表示して前記被計測者１の肩からの衽丈を取得できるように構成した上前衽丈計測目盛り部５Ｂと、前記計測基準部４からの距離を計測し得る複数の目盛り３ａを前記計測用着衣体２の胴周り部位に上下方向に並設表示して前記被計測者１の肩からこの被計測者１の帯を締める位置までの距離を計測できるように構成したおはしょり計測目盛り部６とを有する構成としたことを特徴とする請求項４〜８のいずれか１項に記載の計測着に係るものである。
【発明の効果】
【００２４】
本発明は上述のように構成したから、被計測者が計測用着衣体を着衣した状態で、この計測用着衣体に設けた目盛り部の目盛りを読むことで、この計測用着衣体の計測基準部からの距離を計測できる。
【００２５】
即ち、例えば被計測者が計測用着衣体を着衣した際にこの被計測者の肩に掛かる部位や、腰に掛かる部位をこの計測用着衣体の計測基準部として設定し、この計測基準部からの距離を計測し得る目盛り部の目盛りを計測用着衣体の所定の計測位置として例えば裾（下端部）に表示した構成とすれば、この計測用着衣体を被計測者に着衣させて前記目盛り部の目盛りを読むことで、例えばこの被計測者の着丈（肩から裾までの距離）や、例えばこの被計測者のズボン丈（腰から裾までの距離）など、この被計測者の体型に応じた衣類を製作するために必要なこの被計測者の体型寸法が取得できる。
【００２６】
しかも、本発明は、実際に被計測者が計測用着衣体を着衣した状態で、即ち、被計測者の身体に計測用着衣体が密着した状態で計測を行うので、被計測者の身体の凹凸（例えば胸部や腹部の凹凸）に応じて、この被計測者の身体の凹凸形状に則した一層良好な体型寸法が取得できる。
【００２７】
従って、本発明は、これまでのように、被計測者の体型に応じた衣類を製作するためにどのような体型寸法が必要で、その体型寸法は被計測者の身体のどの部位からどの部位までの距離を計測すれば取得できるのかといった知識や熟練が不要で、誰でも簡単に必要な体型寸法を取得でき、しかも、被計測者の身体の凹凸形状も加味されて被計測者の体型に一層良く合った衣類が製作可能な一層良好な体型寸法が取得でき、更に、これまでのようにメジャーを当てがって計測する必要が無いので、それだけ計測者が被計測者の身体に触れる必要がないので被計測者に不快感を与えることなく良好に体型寸法を行えるうえに、例えば異なる種類の体型寸法を取得できる異なる種類の目盛り部を計測用着衣体に設けれは、単に被計測者に計測用着衣体を着衣させて各目盛り部の目盛りを読むだけの簡易な作業で、必要な複数の体型寸法をも簡単にして素早く効率的に取得できる極めて簡単に素早く計測できるなど、極めて実用性に秀れた画期的で商品価値の高い計測着となる。
【００２８】
また、請求項２，３記載の発明においては、被計測者の肩に掛かる部位を有する例えばジャケットや着物などの上衣体を製作するために必要な被計測者の体型寸法を簡単にして素早く効率的に取得できることは勿論、上衣体が被覆する被計測者の上半身は、胸部や腹部の凹凸など、特に凹凸形状を多く有している為、この身体の凹凸形状も加味した良好な体型寸法を取得できる本発明の秀れた機能が一層顕著に発揮でき、一層実用性に秀れる。
【００２９】
また、請求項４〜６記載の発明においては、本発明の計測用着衣体を被計測者に着衣させ、この計測用着衣体の身頃の下端側に表示された着丈計測目盛り部の所定の目盛りを読むことで、この被計測者の肩から裾までの距離、即ちこの被計測者の肩からの着丈を簡単且つ良好に計測し取得できる実用性に秀れた計測着となる。特にこの着丈計測目盛り部が、前記計測用着衣体の後身頃に設ける背面側着丈計測目盛り部と、前身頃に設ける上前衽丈計測目盛り部とから成る構成とした場合には、例えば単に被計測者の背面側の着丈だけを計測するのではなく、本発明によれば被計測者の背面側の着丈と、被計測者の前面測の着丈、即ち上前衽丈との双方を夫々別々に計測でき、よって、一層被計測者の着丈に一層応じた（一層良く合った）衣類が製作できる一層良好な着丈が計測できる秀れた計測着となる。
【００３０】
また、請求項７，８記載の発明においては、本発明の計測用着衣体を被計測者に着衣させ、この計測用着衣体の胴回りに表示されたおはしょり計測目盛り部の所定の目盛りを読むことで、この被計測者の肩からこの被計測者の帯を締める位置までの距離を計測でき、この被計測者の体型に応じたおはしょり位置を簡単且つ良好に取得できる実用性に秀れた計測着となる。特に、被計測者が計測用着衣体を着衣した状態で、帯や帯板などの指標体をこの被計測者の体型に応じたこの被計測者が実際に帯を締める位置に当てがって、この指標体を当てがった位置に対応するおはしょり計測目盛り部の目盛りを読むことで、この被計測者の体型に合った適切なおはしょり位置を簡単にして確実に計測でき、例えば着物や浴衣など、帯を締めて着衣する衣類の製作に適した実用性に秀れた計測着となる。
【００３１】
また、請求項９記載の発明においては、従来からある簡着仕立ての着物を製作する場合に必要となる被計測者の体型寸法、即ち、背面側の着丈，上前衽丈及びおはしょり位置を誰でも簡単に取得できる計測着となる。
【００３２】
従って、本発明さえあれば、簡着仕立ての着物の製作に必要な体型寸法を取得する際に、これまでのように例えば簡着仕立てにする着物を実際に被計測者が一々着付けて計測を行う必要がなく、単に本発明の計測用着衣体を被計測者に着衣させて所定の目盛りを読むだけの極めて簡単な計測作業で、誰でも簡単に素早く簡着仕立ての着物の製作に必要な体型寸法を取得できる。つまり、本発明は、簡着仕立てにしたい着物を着付ける必要なないので着付けの技術が要らないことは勿論、例えば、本発明さえ呉服店に置いておけば、気軽に店に立ち寄った時（時間があった時）に計測だけ済ませておき、後から実際に仕立てる着物を持って着てもらうといったこと可能で、簡着仕立ての着物の製作に極めて適したこれまでに無い画期的で実用性に秀れた計測着となる。
【００３３】
特に、近年、体型の大型化などにより、かなり体型の太めの人もおり、最良な体型寸法の取得はこれまでのメジャー方式では益々困難となってきているが、この点、本発明によれば、単に被計測者の肩の線を合わせて計測着を着衣して計測を行うだけで、被計測者の体型に応じた最良な体型寸法を誰でも極めて簡単に効率良く取得できるなど、この点においても極めて実用性に秀れた画期的で商品価値の高いものである。
【発明を実施するための最良の形態】
【００３４】
好適と考える本発明の実施形態（発明をどのように実施するか）を、図面に基づいて本発明の作用を示して簡単に説明する。
【００３５】
被計測者１が計測用着衣体２を着衣した状態で、この計測用着衣体２に表示された目盛り部３の目盛り３ａを読む。
【００３６】
この目盛り部３の目盛り３ａは、被計測者１が計測用着衣体２を着衣した状態でこの計測用着衣体２の計測基準部４からの距離を計測し得るようにこの計測用着衣体２に表示している。具体的には、この目盛り３ａを読むことで前記被計測者１の体型によって夫々異なる前記計測基準部４から所定の計測位置までの距離が計測でき前記被計測者１の体型寸法の少なくとも一種類を取得できるようにこの目盛り部３の目盛り３ａの表示位置を設定している。
【００３７】
従って、被計測者１が着衣した前記計測用着衣体２に表示された目盛り３ａを読むことでこの被計測者１の体型寸法を取得できる。
【００３８】
即ち、例えば、計測用着衣体２をジャケットや着物などの上衣体とし、この計測用着衣体２の被計測者１の肩に掛かる部位をこの計測用着衣体２の前記計測基準部４として設定した場合、この計測用着衣体２の計測位置としてこの計測用着衣体２の裾（下端部）に上下方向に前記目盛り部３の目盛り３ａを並設表示した構成とすれば、この計測用着衣体２を着衣した被計測者１の着丈（肩から裾までの距離）を前記目盛り３ａを読むだけで計測でき、また、例えば、計測用着衣体２をズボンやスカートなどの下衣体とし、この計測用着衣体２の被計測者１の腰に掛かる部位をこの計測用着衣体２の前記計測基準部４として設定した場合、この計測用着衣体２の計測位置としてこの計測用着衣体２の裾（下端部）に上下方向に前記目盛り部３の目盛り３ａを並設表示した構成とすれば、この計測用着衣体２を着衣した被計測者１のズボン丈やスカート丈（腰から裾までの距離）を前記目盛り３ａを読むだけで計測できる。
【００３９】
つまり、これまでのように被計測者１の身体の所定箇所にメジャーを正確に当てがって体型寸法の取得を行うのではなく、本発明は、単に被計測者１に計測用着衣体２を着衣させ、この計測用着衣体２に表示された目盛り部３の所定の目盛り３ａを読むだけの極めて簡単な作業で、衣類を製作するために必要な体型寸法の取得が行える。
【００４０】
よって、本発明は、例えば被計測者１の体型に応じた衣類を製作するために必要な体型寸法を取得するための計測者の熟練や知識が一切不要で、誰でも簡単に必要な体型寸法を取得でき、しかもこれまでのようにメジャーを当てがう必要が無く単に被計測者１に着衣させた計測用着衣体２に表示された所定の目盛り３ａを読むだけで計測を行うので、計測者が被計測者１の身体に触れる必要もほとんど無く、計測時に被計測者１に不快感を与えることなく良好に体型寸法を取得できることとなる。
【００４１】
しかも、本発明は、実際に被計測者１が計測用着衣体２を着衣した状態でこの計測用着衣体２に表示された目盛り３ａを読んで体型寸法を取得する、即ち、被計測者１の身体に計測用着衣体２が密着した状態で計測を行うので、被計測者１の例えば身長や肢体の長さだけでなく、被計測者１の身体の凹凸形状（例えば胸部や腹部の凹凸など）も加味された体型寸法が取得できる。即ち、同じ身長の被計測者１の着丈を取得する場合でも、本発明によれば、例えば腹部の出っ張った被計測者１の着丈と腹部の平坦な被計測者１の着丈とでは、腹部の出っ張った被計測者１のほうが長い着丈計測値が取得され、このように被計測者１の身体の凹凸形状に則した一層良好な体型寸法が取得でき、一層被計測者１の体型に応じた（体型に合った）衣類が製作可能な良好な体型寸法が取得できることとなる。
【００４２】
また、例えば、衣類を製作するために必要な体型寸法を取得できる複数種類の目盛り部３を前記計測用着衣体２に設けた構成とすれば、これまでのように一々必要な体型寸法をメジャーを当てがって一つずつ取得する面倒な手間も要らず、単に複数種類の目盛り部３が設けられたこの計測用着衣体２を被計測者１に着衣させて、後は複数種類の目盛り部３の所定の目盛り３ａを読んでいくだけで必要となる体型寸法を誰でも簡単に素早く取得できるなど、計測にかかる手間や時間を減らすことも可能となる。
【００４３】
よって、本発明は、これまでのように面倒な手間や計測者の熟練は不要で、誰でも素早く簡単に必要な体型寸法を取得でき、しかも被計測者１の身体の凹凸形状も十分に加味された良好な体型寸法が取得でき、更に計測時に被計測者１に不快感を与えることもないなど、極めて良好に被計測者１の体型寸法を取得できる秀れた計測着となる。
【００４４】
また、本発明によれば、例えば、従来から提案される簡着仕立ての着物の製作に必要となる体型寸法を取得できる構成とすることも簡易に設計実現可能である。
【００４５】
即ち、例えば、計測用着衣体２に設ける目盛り部３を、前記計測用着衣体２の前記被計測者１の肩に掛かる部位に設定した計測基準部４からの距離を計測し得る複数の目盛り３ａを前記計測用着衣体２の後身頃９ａの下端部に上下方向に並設表示して前記被計測者１の肩からの着丈を取得できるように構成した背面側着丈計測目盛り部５Ａと、前記計測基準部４からの距離を計測し得る複数の目盛り３ａを前記計測用着衣体２の前身頃９ｂの下端部に上下方向に並設表示して前記被計測者１の肩からの衽丈を取得できるように構成した上前衽丈計測目盛り部５Ｂと、前記計測基準部４からの距離を計測し得る複数の目盛り３ａを前記計測用着衣体２の胴周り部位に上下方向に並設表示して前記被計測者１の肩からこの被計測者１の帯を締める位置までの距離を計測できるように構成したおはしょり計測目盛り部６とを有する構成とすれば、簡着仕立ての着物の製作に必要な背面側着丈，上前衽丈及びおはしょり位置を本発明で誰でも簡単に計測し、取得できることとなる。
【００４６】
つまり本発明は、これまでのように簡着仕立てにする着物を実際に被計測者に着付ける面倒で熟練を要する厄介な作業は不要で、単に被計測者１に着衣させた計測用着衣体２の目盛り部３（背面側着丈計測目盛り部５Ａ，上前衽丈計測目盛り部５Ｂ及びおはしょり計測目盛り部６）の目盛り３ａを読むだけの極めて簡易な計測作業で、必要な体型寸法が誰にでも簡単に素早く取得できる。
【００４７】
尚、上述のように簡着仕立ての着物の製作に必要な体型寸法を取得できるように構成した場合には、本発明の計測用着衣体２を被計測者１が着衣する際に例えば着物の着付けと同様、タオルなどを被計測者１の補正（凹んだ部位に巻いて身体の凹凸形状を軽減）を行ったうえで計測用着衣体２を着衣して計測を行う場合がある。ただし、この場合においても被計測者１の身体には凹凸形状が残るが、この点、本発明は例えばメジャーを当てがって体型寸法を取得するのではなく、計測用着衣体２を被計測者１に着衣させ、この被計測者１の身体に計測用着衣体２が密着した状態で計測を行うので、被計測者１の身体の凹凸形状に則した良好な体型寸法が取得可能である。
【００４８】
また、例えば、前記背面側着丈計測目盛り部５Ａの複数の目盛り３ａが並設表示された前記計測用着衣体２の後身頃９ａの下端部と、前記上前衽丈計測目盛り部５Ｂの複数の目盛り３ａが並設表示された前記計測用着衣体２の前身頃９ｂの下端部とが、互いに離反自在に切離されている構成とすれば、例えば被計測者１が前記計測用着衣体２を着衣して床にまっすぐ立ち、この計測用着衣体２に設けた背面側着丈計測目盛り部５Ａ及び上前衽付計測目盛り部５Ｂ夫々の前記床に着いた位置の目盛り３ａを読む作業が非常に行い易くなる。即ち、被計測者１が前記計測用着衣体２を着衣して床にまっすぐ立った際、この計測用着衣体２の後身頃９ａの下端部と前身頃９ｂの下端部とを互いに離反させて夫々を床に沿い伏せることができるから、この後身頃９ａに設けた背面側着丈計測目盛り部５Ａと、この前身頃９ｂに設けた上前衽付計測目盛り部５Ｂ夫々の前記床に着いた位置の目盛りが簡単且つ正確に目視できることとなる。
【００４９】
また、例えば、前記おはしょり計測目盛り部６は、前記被計測者１が前記計測用着衣体２を着衣した状態でこの計測用着衣体２の前記おはしょり計測目盛り部６の目盛り３ａが表示される胴周り部位に帯若しくは帯板などの指標体８を帯を締める高さ位置に当てがい、この状態で指標体８の位置に対応する前記おはしょり計測目盛り部６の所定の目盛り３ａを読むことで、前記被計測者１の肩からこの被計測者１の前記帯を締める位置までの距離を計測できるように構成すれば、実際に被計測者１が自分の体型に合った好みの位置に当てがった指標体８によりおはしょり位置を計測するので、前記被計測者１の体型と好みに合った最適なおはしょり位置を簡単且つ確実に取得できることとなる。
【実施例】
【００５０】
本発明の具体的な実施例について図面に基づいて説明する。
【００５１】
本実施例は、被計測者１が着衣する計測用着衣体２に、被計測者１の体型に応じた衣類を製作するために必要なこの被計測者１の体型寸法を取得する目盛り部３を設け、この目盛り部３は、被計測者１が計測用着衣体２を着衣した状態でこの計測用着衣体２の計測基準部４からの距離を計測し得る複数の目盛り３ａを前記計測用着衣体２に表示した構成とし、この目盛り３ａを読むことで前記被計測者１の体型によって夫々異なる前記計測基準部４から所定の計測位置までの距離が計測でき前記被計測者１の体型寸法の少なくとも一種類を取得できるように前記目盛り部３の目盛り３ａの表示位置を設定したものである。
【００５２】
計測用着衣体２は、例えばジャケットや着物などの上衣体や、ズボンやスカートなどの下衣体など、製作する衣類の種類に応じて、この製作する衣類の形態を模した形状に構成するもので、本実施例では、被計測者１がこの計測用着衣体２を着衣した際にこの被計測者１の肩に掛かる部位を有する上衣体としてこの計測用着衣体２を構成している。
【００５３】
尚、本実施例では、図１〜図４に図示したように、簡着仕立ての着物を製作するために必要な被計測者１の体型寸法を取得すべく、前記計測用着衣体２を着物の形態を模した形状に構成した簡着仕立ての着物の製作用の計測着を例にして説明する。
【００５４】
尚、簡着仕立ての着物については従来例でも説明しているが、再度説明すると、簡着仕立ての着物とは、着用者の体型に合わせておはしょりが予め縫い形成された着物であって、着用者は長襦袢を着衣した上からこの簡着仕立ての着物を羽織り、衿中心を合わせ、左右に付いている紐（腰紐）を結ぶだけで簡単に着付けることができるものである。
【００５５】
着物の形態を模した本実施例の計測用着衣体２は、図１，図２及び図５に図示したように、被計測者１がこの計測用着衣体２を着衣した際にこの被計測者１の肩に掛かる部位をこの計測用着衣体２の前記計測基準部４として設定している。
【００５６】
また、この計測用着衣体２の計測基準部４からの距離を計測し得る目盛り３ａを複数有する前記目盛り部３は、具体的には、被計測者１の着丈を計測する着丈計測目盛り部５と、この被計測者１が着物を着衣する際に帯を締める位置を計測するおはしょり計測目盛り部６とを有する構成である。
【００５７】
この目盛り部３の着丈計測目盛り部５は、図１に図示したように、計測用着衣体２の身頃９の下端側に上下方向に複数の目盛り３ａを並設表示した構成である。
【００５８】
また、具体的には、この着丈計測目盛り部５は、図１（ａ）に図示したように、前記計測基準部４からの距離を計測し得る複数の目盛り３ａを前記計測用着衣体２の前身頃９ｂ（上前身頃）の下端部に上下方向に並設表示した上前衽丈計測目盛り部５Ｂと、図１（ｂ）に図示したように、前記計測基準部４からの距離を計測し得る複数の目盛り３ａを前記計測用着衣体２の後身頃９ａの下端部に上下方向に並設表示した背面側着丈計測目盛り部５Ａとから成る構成としている。
【００５９】
この背面側着丈計測目盛り部５Ａ及び上前衽丈計測目盛り部５Ｂは、図６及び図７に図示したように、前記計測基準部４からの距離が１２０ｃｍの位置から１５９ｃｍの位置に至るまで１ｃｍ刻みで下端（前記計測基準部４からの距離が１６０ｃｍの位置）から上方に向けて複数の目盛り３ａを並設表示している。更に、各目盛り３ａは、横線と前記計測基準部４からの距離に応じた数値（下二桁、即ち１２０ｃｍの位置には２０，１５０ｃｍの位置には５０）とを有するもので、また、隣合う目盛り３ａ同志は、横線に対して互いに左右反対側に夫々の数値を記して数値を読み易くしている。
【００６０】
尚、計測用着衣体２の前身頃９ｂ（上前身頃）に設けた上前衽丈計測目盛り部５Ｂの目盛り３ａを読んで計測する際に邪魔とならないよう、図３及び図４に図示したように、この計測用着衣体２の下前身頃の下端側を省いて、前記上前衽丈計測目盛り部５Ｂを設けた上前身頃９ｂに比して短い丈に設定している。
【００６１】
また、この計測用着衣体２は、前記背面側着丈計測目盛り部５Ａの複数の目盛り３ａが並設表示された計測用着衣体２の後身頃９ａの下端部と、前記上前衽丈計測目盛り部５Ｂの複数の目盛り３ａが並設表示された計測用着衣体２の前身頃９ｂの下端部とが、互いに離反自在に切離されている。具体的には、図３及び図４に図示したように、計測用着衣体２の後身頃９ａと前身頃９ｂ（上前の前身頃）との連設箇所にスリット10を形成して双方の下端側を切離した構成としている。
【００６２】
従って、被計測者１がこの計測用着衣体２を着衣した状態で床にまっすぐ立つと、この被計測者１の着丈より長い計測用着衣体２の後身頃９ａと前身頃９ｂの余った部分が前記スリット10を介して互いに離反して床に着くので、この後身頃９ａの床に着いた位置に表示された前記背面側着丈計測目盛り部５Ａの目盛り３ａと、この前身頃９ｂの床に着いた位置に表示された前記上前衽丈計測目盛り部５Ｂの目盛り３ａと読むことで、前記被計測者１の体型によって夫々異なる前記計測基準部４（被計測者１の肩に掛かる部位）から足下（床）までの距離を計測でき、この被計測者１の着丈（背面側の着丈と、上前衽丈）が取得できる。
【００６３】
また、この目盛り部３のおはしょり計測目盛り部６は、図１及び図２に図示したように、計測用着衣体２の胴周り部位（上前の胴周り部位）に上下方向に複数の目盛り３ａを並設表示した構成である。また、このおはしょり計測目盛り部６の複数の目盛り３ａは、図８に図示したように、前記計測基準部４からの距離が５７ｃｍの位置を基準の目盛り３ａとし、この基準目盛り３ａから１ｃｍ刻みで複数の目盛り３ａを並設表示したものである。各目盛り３ａは、同じく計測用着衣体２の前身頃９ｂに表示されている前記上前衽丈計測目盛り部５Ｂの目盛り３ａと混同しないように、横線と数値ではなく、横線とアルファベットを有する構成としている。更に、計測基準部４からの距離が５７ｃｍの位置に表示した基準の目盛り３ａは、アルファベットのＭを表示すると共に他の目盛り３ａと異なる色の横線を表示した構成とし、他の目盛り３ａはアルファベットの順番に準して所定のアルファベットと横線とを表示する構成とし、例えばアルファベットのＰなら、基準のアルファベットＭから３つ下の位置の目盛りなので、計測基準部４からの距離は５７ｃｍ＋３ｃｍで６０ｃｍである。尚、この基準の目盛り３ａを計測基準部４からの距離が５７ｃｍとしたのは、日本人の女性の平均的な体型を基にして決定したもので、他の位置を基準の目盛り３ａとしても良いし、単に計測基準部４からの距離をそのまま数値によって表する構成としても良い。
【００６４】
従って、前記被計測者１が前記計測用着衣体２を着衣して立った状態で、図５に図示したように、この計測用着衣体２の胴周り部位に帯若しくは帯板などの指標体８を実際に帯を締める際と同じ高さ位置に当てがい、この状態で指標体８の下縁の位置に表示されている前記おはしょり計測目盛り部６の目盛り３ａを読むことで、前記被計測者１の体型によって夫々異なる前記計測基準部４（被計測者１の肩の位置）からこの被計測者１の帯を締める位置までの距離を計測でき、この被計測者１のおはしょり位置を取得できる。
【００６５】
尚、このおはしょり計測目盛り部６の目盛り３ａの横線は、図８に図示したように、右上がりに構成している。特に、基準の目盛り３ａ（Ｍと表示する目盛り３ａ）は、前記計測基準部４から５７ｃｍの位置と、前記計測基準部４から５３ｃｍ下がった脇の位置とを結ぶ傾斜状の横線としており、この横線に平行となるように各目盛り３ａを右上がりの傾斜状態に構成し、被計測者１がこの計測用着衣体２を着衣した際にこの右上がりの横線が丁度略水平となるように構成している。
【００６６】
また、本実施例においては、図４及び図５に図示したように、被計測者１が計測用着衣体２を着衣する際に衣紋を抜き易いように、この計測用着衣体２に衣紋抜き11を設けている。これは、図５に図示したように、腰紐をこの衣紋抜き11の糸と押し部11ａに通して腰の位置に結ぶことで、形崩れしにくくきれいに着付ることができる。また、更にこの計測用着衣体２には衿芯を設け、より衣紋を抜き易く構成している。
【００６７】
従って、被計測者１は前記計測用着衣体２をただ着衣するのではなく、この計測用着衣体２を着物の着付けのように衣紋を抜いてきれいに着衣し、そのうえで体型寸法の計測を行えるので、このようにして取得した体型寸法を基にして製作した簡着仕立ての着物は、前記被計測者１が衣紋を抜いてきれいに着付けた際に丁度この被計測者１の体型に良く合うサイズとなる。
【００６８】
次に、本実施例に係る計測着を用いた計測手順の一例を以下に説明する。
【００６９】
被計測者１、即ち着用者の体型に応じた簡着仕立ての着物を仕立てる場合、この被計測者１に本実施例に係る計測着を着衣してもらう。
【００７０】
そして（１）背面側の着丈
（２）前面側の着丈（上前衽丈（肩から衽付の裾までの位置））
（３）おはしょり位置
の少なくとも三種類の体型寸法を取得して、この取得された体型寸法を基に簡着仕立ての着物にする。
【００７１】
具体的には、先ず、図５に図示したように、被計測者１が計測用着衣体２を着衣する。
【００７２】
ここで、仮に着物を着付ける際にこの被計測者１が補正（例えば、身体の凹んだ部位にタオルを巻くなどして身体の凹凸を軽減する。）を行うのであれば、この計測用着衣体２を着衣する際にも同様の補正を行って、着物を着付ける時と同様の体型に被計測者１の体型を補正したうえで前記計測用着衣体２を着衣する。
【００７３】
次いで、被計測者１がまっすぐ立った状態で、この計測用着衣体２に設けた目盛り部３の目盛り３ａを読むことで所定の体型寸法を取得する。
【００７４】
具体的には、計測用着衣体２の後身頃９ａに表示された背面側着丈計測目盛り部５Ａの複数の目盛り３ａのうち、床に着いた位置に表示されていた目盛り３ａ（本実施例では、図６中，（１）の目盛り３ａ）を読むことで被計測者１の背面側着丈を取得する（本実施例では１４０ｃｍ）。
【００７５】
更に、計測用着衣体２の前身頃９ｂに表示された上前衽丈計測目盛り部５Ｂの複数の目盛り３ａのうち、床に着いた位置に表示されていた目盛り３ａ（本実施例では、図７中（２）の目盛り３ａ）を読むことで被計測者１の上前衽丈を取得する（本実施例では１４４ｃｍ）。
【００７６】
更に、計測用着衣体２の胴周り部位（上前の胴周り部位）であって前記被計測者１が着物を着付ける際に帯を締める位置に指標体８（帯板）を当てがい、この使用体８（帯板）の下縁と対応する位置に表示されたいたおはしょり計測目盛り部６の所定の目盛り３ａ（本実施例では、図８中（３）の目盛り３ａ）を読むことで被計測者１のおはしょり位置を取得する（本実施例ではＧと表示された目盛り３ａを読んだので、Ｍと表示された基準の目盛り３ａから６つ上の位置、即ちおはしょりの位置は計測基準部４から５１ｃｍとなる。）。
【００７７】
本実施例は、上述のように、被計測者１に計測用着衣体２を着衣させて目盛り部３の所定の目盛り３ａを読むだけの簡易な計測作業で、簡着仕立ての着物の製作に必要な背面側着丈，上前衽丈及びおはしょり位置の三つの体型寸法を誰でも簡単に素早く取得できる。
【００７８】
次に、本実施例によって取得した上記三つの体型寸法を基に簡着仕立ての着物を製作する手順を図９〜図１５に基づいて以下に説明する。
【００７９】
尚、本実施例では、一般的な（簡着仕立てではない）着物を、簡着仕立ての着物に仕立て直す手順を例に説明する。
【００８０】
先ず、図９に図示したように、簡着仕立てに仕立て直したい着物Ａを用意し、本実施例により取得した背面側着丈（１４０ｃｍ）の通り前記着物Ａの後身頃の肩の位置から下方１４０ｃｍの位置に糸などで目印を付けて、この背面側着丈より長い余った部分の丈の長さａを計測する。
【００８１】
また、図１０に図示したように、本実施例により取得した上前衽丈（１４４ｃｍ）の通り前記着物Ａの前身頃（上前身頃）の肩の位置から下方１４４ｃｍの位置に糸などで目印を付けて、この上前衽丈より長い余った部分の丈の長さｂを計測する。
【００８２】
また、図１０に図示したように、本実施例により取得したおはしょり位置の寸法（５１ｃｍ）の通り前記着物Ａの肩の位置から下方５１ｃｍの位置に糸などで目印を付け、このおはしょり位置から、おはしょり山の位置ｃを決定する。尚、おはしょり山の位置ｃとは、図１６に図示したように、身頃を身丈を折り返した際に外側に露出する折り返し下縁のことである。
【００８３】
このおはしょり山の位置ｃは、具体的には図１３に図示したように、着物Ａの肩の位置からの距離が一定（肩の線に対して平行）では無い。本実施例により取得したおはしょり位置（肩の位置から下方５１ｃｍの位置）を基準とし、図１３に図示したように、この着物Ａの上前のおはしょり山の位置ｃ１を前記おはしょり位置＋６ｃｍ（肩の位置から下方５７ｃｍの位置），この着物Ａの上脇のおはしょり山の位置ｃ２を前記おはしょり位置＋３ｃｍ（肩の位置から下方５４ｃｍ），この着物Ａの背のおはしょり山の位置ｃ３を前記おはしょり位置と同じ肩の位置から下方５１ｃｍ，この着物Ａの下脇のおはしょり山の位置ｃ４を前記おはしょり位置＋４ｃｍ（肩の位置から下方５５ｃｍ），この着物Ａの下衽付のおはしょり山の位置ｃ５を前記おはしょり位置＋６ｃｍ（着物Ａの前記背面側着丈よりも長い余った部分の丈の長さａが多かった場若は前記おはしょり位置＋７〜８）とし、これら着物Ａの各部位のおはしょり山の位置ｃ１〜ｃ５を結線することによって想定される折線を、この着物Ａのおはしょり山の位置ｃとする。
【００８４】
このように本実施例により取得したおはしょり位置からこの着物Ａのおはしょり山の位置ｃが決定したら、図１１〜図１３に図示した通りにこの着物Ａの後身頃の背面側着丈より長い余りの部分の丈の長さａ及び前身頃の上前衽丈より長い余りの部分の丈の長さｂによりこの着物Ａのおはしょりの内あげ量を決定し、実際におはしょりを作り糸で縫い止める。
【００８５】
以上のように、本実施例に係る計測着で取得した被計測者１の背面側着丈と上前衽丈によって、着物Ａの後身頃の余る部分の丈長さａ及び前身頃の余る部分の丈長さｂを決定し、本実施例に係る計測着で取得した被計測者１のおはしょり位置によって、この着物Ａのおはしょり山の位置ｃを決定し、これらから図１１〜図１３に図示した通りにこの着物Ａのおはしょりの内あげ量を決定し、実際に図１６に図示したようにおはしょり山の位置ｃを基準に内あげて、内側に折り返した生地の折り返し上縁と、外方の生地とを糸で縫いとめることで、図１４及び図１５に図示したように、簡着仕立ての着物に仕上がる。尚、本実施例では、上前の衿を、おはしょりと一緒に折り込むのではなく、おはしょりの位置に合った長さの上前衿に付け直して仕上げている（図１４参照）。
【００８６】
このように、本実施例では、被計測者１、即ち着用者に計測用着衣体２を実際に着衣してもらって、この被計測者１の体型に合わせて各体型寸法を決める（計測している）ので、被計測者１の体型に非常に合った簡着仕立ての着物となり、それだけ一層簡単にきれいに着付けることができるものとなる。
【００８７】
尚、おはしょりの内あげ量を決定する際、単純に前記着物Ａの前記背面側着丈よりも長い余った部分の丈の長さａや、上前衽丈よりも長い余った部分の丈の長さｂをそのまま使用して決めるのでは無く、おはしょりの内あげ量を適宜＋−補正しても良い。即ち、例えば、着付けた時に一層見栄えが良くなるような補正を行ったり、また例えば仲居などが仕事用として着る簡着仕立ての着物の場合には、動き易いように内あげ量を＋補正するなど、使用条件や使用用途に応じて適宜補正すれば良い。この際、予め補正された数値が取得できるように、例えば本実施例に係る計測着の目盛り部３の目盛り３ａの数値自体を予め補正された数値とした構成としても良い。
【００８８】
また、例えば、本実施例に係る計測着によって取得した体型寸法（背面側着丈，上前衽丈及びおはしょり位置）を基に、上記手順と略同様の手順によって、例えばプレタ着物（通常の着物と異なり着用者の体型に応じて着丈が内あげによって調整された着物で、着付け時には自分でおはしょりを作る必要がある。）を簡着仕立ての着物に仕立て直すことが可能である。また、本実施例に係る計測着によって取得した体型寸法を基に反物から簡着仕立ての着物を製作しても良い。
【００８９】
また、例えば、着物の上から着衣するコートの製作に必要な体型寸法を取得する場合に本実施例品を採用しても良い。このように着物の上から着衣するコートのコート丈の計測を行う場合、７分丈，８分丈などのように身長に対してどの程度のコート丈に調整するかが被計測者（着用者）の好みよって異なるのでそれだけ計測が厄介であるが、この点、本実施例においては、被計測者が計測着を実際に着衣した状態で、好みの丈の長さ位置を計測者が指示することで所望者の好み通りのコート丈を簡単に計測できる。
【００９０】
また、例えば、男性用の着物の製作に必要な体型寸法を取得する場合に本実施例品を採用しても良い。
【００９１】
このように、本実施例は一般的な仕立ての着物から簡着仕立ての着物を製作するだけでなく、この種の着物や着物用のコートの製作など種々の用途に適宜採用できる。
【００９２】
特に、近年、体型の大型化などにより、かなり体型の太めの人もおり、最良な体型寸法の取得はこれまでのメジャー方式では益々困難となってきているが、この点、本実施例によれば、単に被計測者１の肩の線を合わせて計測用着衣体２を着衣して計測を行うだけで、被計測者１の体型に応じた最良な体型寸法（例えば上記の着丈，上前衽丈，おはしょり位置や、内あげの位置，衿下の位置などの種々の体型寸法）を誰でも極めて簡単に効率良く取得でき、今後益々実用性の高まる極めて画期的で商品価値の高いものとなる。
【００９３】
また、本実施例は簡着仕立ての着物の製作のための体型寸法を取得する計測着を例に説明したが、これに限らず、例えば、計測用着衣体２をズボンの形態に形成し、この計測用着衣体２を被計測者１が着衣した際にこの被計測者１の腰に掛かる部位をこの計測用着衣体２の計測基準部４とし、この計測用着衣体２の裾の位置を前記目盛り部３の目盛り３ａを表示する計測位置として目盛り３ａを並設表示し、被計測者１がこの計測用着衣体２を着衣した状態でこの被計測者１の腰の位置から足下（床）までの位置（着丈）を計測し取得できる構成としても良く、またその他にも、例えば計測用着衣体２をＹシャツの形態に形成し、被計測者１の裾丈や袖丈などの種々の体型寸法が取得できるように構成するなど、製作したい衣類の種類に応じて適宜構成すれば良い。
【００９４】
尚、本発明は、本実施例に限られるものではなく、各構成要件の具体的構成は適宜設計し得るものである。
【図面の簡単な説明】
【００９５】
【図１】本実施例に係る計測着の説明正面図及び説明背面図である。
【図２】本実施例に係る計測着の説明上面図である。
【図３】本実施例に係る計測着の説明正面図である。
【図４】本実施例に係る計測着の説明背面図である。
【図５】本実施例に係る計測着の使用状態図である。
【図６】本実施例に係る計測着の計測用着衣体２に表示した背面側着丈計測目盛り部５Ａの目盛り３ａを示す説明図である。
【図７】本実施例に係る計測着の計測用着衣体２に表示した上前衽丈計測目盛り部５Ａの目盛り３ａを示す説明図である。
【図８】本実施例に係る計測着の計測用着衣体２に表示したおはしょり計測目盛り部６の目盛り３ａを示す説明図である。
【図９】本実施例に係る計測着により取得した体型寸法を基にした簡着仕立ての着物の製作手順を示す説明図である。
【図１０】本実施例に係る計測着により取得した体型寸法を基にした簡着仕立ての着物の製作手順を示す説明図である。
【図１１】本実施例に係る計測着により取得した体型寸法を基にした簡着仕立ての着物の製作手順を示す説明図である。
【図１２】本実施例に係る計測着により取得した体型寸法を基にした簡着仕立ての着物の製作手順を示す説明図である。
【図１３】本実施例に係る計測着により取得した体型寸法を基にした簡着仕立ての着物の製作手順を示す説明図である。
【図１４】本実施例に係る計測着により取得した体型寸法を基にした簡着仕立ての着物の製作手順を示す説明図である。
【図１５】本実施例に係る計測着により取得した体型寸法を基にした簡着仕立ての着物の製作手順を示す説明図である。
【図１６】本実施例に係る計測着により取得した体型寸法を基にした簡着仕立ての着物の製作手順を示す説明図である。
【符号の説明】
【００９６】
１  被計測者
２  計測用着衣体
３  目盛り部
３ａ  目盛り
４  計測基準部
５  着丈計測目盛り部
５Ａ  背面側着丈計測目盛り部
５Ｂ  上前衽丈計測目盛部
６  おはしょり計測目盛り部
８  指標体
９  身頃
９ａ  後身頃
９ｂ  前身頃
【図１】
2007217813.tif 000003
【図２】
2007217813.tif 000004
【図３】
2007217813.tif 000005
【図４】
2007217813.tif 000006
【図５】
2007217813.tif 000007
【図６】
2007217813.tif 000008
【図７】
2007217813.tif 000009
【図８】
2007217813.tif 000010
【図９】
2007217813.tif 000011
【図１０】
2007217813.tif 000012
【図１１】
2007217813.tif 000013
【図１２】
2007217813.tif 000014
【図１３】
2007217813.tif 000015
【図１４】
2007217813.tif 000016
【図１５】
2007217813.tif 000017
【図１６】
2007217813.tif 000018